(57)【要約】【課題】障害釘の釘調整を容易に行うことができつつも、且つ不正な釘曲げ行為を防止できる弾球遊技機を提供すること。【解決手段】装飾カバー体１８に貫通孔１８ｂからなる規制部１８ａを設け、この貫通孔１８ｂに導入口用障害釘１６ａの頭部側先端部分が挿入されているので、導入口用障害釘１６ａを遊技盤５の盤面と平行方向へ所定量以上移動させようとしても、導入口用障害釘の頭部側部分の移動が貫通孔１８ｂの内周壁により規制される。【選択図】図６
2008188259.tif 000002
【特許請求の範囲】
【請求項１】
遊技盤と、この遊技盤に設けられた複数の障害釘と、複数の入賞口とを備えた弾球遊技機において、
前記入賞口へ遊技球を導く導入口を形成する複数の導入口用障害釘と、
前記複数の導入口用障害釘の移動を規制する為の装飾カバー体であって所定の遊技部材に着脱可能に装着された装飾カバー体とを有し、
前記装飾カバー体に、導入口用障害釘の少なくとも頭部が遊技盤の盤面と平行方向へ所定量以上移動するのを規制する規制部を形成したことを特徴とする弾球遊技機。
【請求項２】
前記規制部は、前記装飾カバー体に形成されて導入口用障害釘の頭部が挿入された貫通孔からなることを特徴とする請求項１に記載の弾球遊技機。
【請求項３】
前記規制部は、前記装飾カバー体に形成されて導入口用障害釘の頭部が挿入された凹部からなることを特徴とする請求項１に記載の弾球遊技機。
【発明の詳細な説明】
【技術分野】
【０００１】
本発明は、不正な釘曲げ行為を防止可能に構成した弾球遊技機に関するものである。
【０００２】
従来から、遊技盤の遊技領域に発射された遊技球は、遊技盤の盤面に設けられた複数の障害釘に当たって方向を換えながら落下していき、普通入賞口、特別図柄始動口、大入賞口の何れかに入賞するか、最下端まで落下してアウト口から排出される。遊技店側では、特に、入賞口近傍に設けられ入賞口へ遊技球を導く導入口を形成する複数の導入口用障害釘の釘間隔や打ち込み角度などを調整することにより、入賞口や始動口へ遊技球を入り易くしたり、あるいは逆に入り難くしたりして、遊技店と遊技者との利益の調節を図っている。
【０００３】
ところで、従来から、遊技店において、複数の導入口用障害釘の釘間隔を極端に広げる不正な釘曲げ行為による釘曲げゴト被害が発生していた。この不正な釘曲げ行為は、パチンコ機のガラス扉と遊技盤の盤面の隙間から針金やピアノ線のようなものを差し込んで、導入口用障害釘を遊技盤の盤面と平行方向へ移動させ、その釘を外側へ大きく曲げて複数の導入口用障害釘の釘間隔を極端に広げるものである。
【０００４】
一方、遊技店により釘調整が行われる際に、複数の導入口用障害釘の釘間隔を極端に狭めて導入口から入賞口へ遊技球が全く入球しないようにする釘調整が行われる場合があった。
特許文献１には、入賞口近傍の障害釘に取付けられた保持部材について開示されている。この釘保持部材は、障害釘が内部に挿通する円筒状の複数の保持筒と、上板と、底板とからなり、複数の保持筒を遊技球の直径より大きな距離を隔てて配設し、上板によりこれらの保持筒が上方で相互に連結されるとともに、下板によりこれらの保持筒が下方で相互に連結される。
【特許文献１】特開平７−３０３７３４号公報
【発明の開示】
【発明が解決しようとする課題】
【０００５】
従来から、遊技店の店員の監視や閉店後の点検作業において、釘曲げゴト師による不正な釘曲げ行為があったことが発見されていた。そのため、遊技中に行われる不正な釘曲げ行為を防ぐことができなかった。
【０００６】
一方、特許文献１においては、遊技店に出荷されるパチンコ機において予め複数の障害釘が釘保持部材により連結保持されると共に、それらの頭部が保持筒の上部で規制されているので、複数の障害釘の釘間隔を極端に狭めることができない。
しかし、遊技店が障害釘の頭部を微調整する場合に、一方の釘頭部を他方の釘頭部の方向に押すことにより、他方の釘頭部が釘保持部材を介して押され、つまり、複数の障害釘の頭部がそれらの間隔を保ちつつ共に傾斜するだけなので、複数の障害釘の頭部の間隔を微調整をすることができない。また、複数の障害釘の釘間隔や打ち込み角度などを調整する場合、釘保持部材を取り外す必要があり、その釘保持部材の取り外し作業が大変面倒である。
【０００７】
本発明の目的は、障害釘の釘調整を容易に行うことができつつも、且つ不正な釘曲げ行為を確実に防止できる弾球遊技機を提供することである。
【課題を解決するための手段】
【０００８】
請求項１の弾球遊技機は、遊技盤と、この遊技盤に設けられた複数の障害釘と、複数の入賞口とを備えた弾球遊技機において、入賞口へ遊技球を導く導入口を形成する複数の導入口障害釘と、複数の導入口障害釘の移動を規制する為の装飾カバー体であって所定の遊技部材に着脱可能に装着された装飾カバー体とを有し、装飾カバー体に、導入口障害釘の少なくとも頭部が遊技盤の盤面と平行方向へ所定量以上移動するのを規制する規制部を形成したものである。
【０００９】
装飾カバー体が遊技部材に着脱可能に設けられ、この装飾カバー体には、導入口用障害釘の移動を規制する為の規制部が設けられている。この規制部により、導入口用障害釘の少なくとも頭部が遊技盤の盤面と平行方向へ所定量以上移動するのが規制されるので、複数の導入口用障害釘の釘間隔を極端に広げることができない。
【００１０】
請求項２の弾球遊技機は、請求項１の発明において、規制部は、装飾体カバー体に形成されて導入口用障害釘の頭部側部分が挿入された貫通孔からなることを特徴としている。  請求項３の弾球遊技機は、請求項１の発明において、規制部は、装飾カバー体に形成されて導入口用障害釘の頭部が挿入された凹部からなることを特徴としている。
【発明の効果】
【００１１】
本願の弾球遊技機によれば、導入口障害釘と、遊技盤の着脱可能に装着された装飾カバー体とを有し、装飾カバー体に、導入口障害釘の少なくとも頭部が遊技盤の盤面と平行方向へ所定量以上移動するのを規制する規制部を形成したので、複数の導入口用障害釘の釘間隔を極端に広げることができない。これにより、不正な釘曲げ行為を確実に防止することができる。
【００１２】
また、装飾カバー体を遊技部材に着脱可能に装着してあるので、遊技部材から装飾カバー体を簡単に取り外した状態で、複数の導入口用障害釘の釘間隔や打ち込み角度などの調整を容易に行うことができる。
【発明を実施するための最良の形態】
【００１３】
本実施例は、遊技盤と、この遊技盤に設けられた複数の障害釘と、複数の入賞口とを備えた弾球遊技機に、本発明を適用した場合の一例である。
【実施例】
【００１４】
以下、本発明の実施例を図面に基づいて説明する。
図１〜図３に示すように、カード式弾球遊技機であるパチンコ機１は、矩形枠状の外枠３と、この外枠３に開閉自在に枢着された前枠４とを有し、カード式球貸し機２をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と発射用の遊技球を貯留する上皿８の前面板７とが夫々開閉自在に枢着されている。前面板７の下部には、上皿８から溢流し又は抜き取った遊技球を貯留する下皿９と、発射ハンドル１０とが設けられている。
【００１５】
球受け皿８の右部には、カード式球貸し機２に対する球貸し操作用の操作パネル１３が設けられ、この操作パネル１３には、カード残額を３桁の数字で表示するカード残額表示部１３ａと、所定金額分の遊技球の球貸しを指示する球貸しスイッチ１３ｂと、遊技終了時にカードの返却を指令する返却スイッチ１３ｃとが設けられている。
【００１６】
図４に示すように、遊技盤５にはほぼ環状のガイドレール１４が設けられ、そのガイドレール１４の内側に遊技領域５ａが形成され、発射ハンドル１０を回動操作して発射された遊技球は、このガイドレール１４により遊技領域５ａに導入される。
【００１７】
遊技領域５ａには、複数の障害釘１６と、風車１１と、装飾カバー部材１５と、センターケース２５と、そのセンターケース２５に一体的に設けられたカラーの液晶ディスプレイ（ＬＣＤ）２５ａと、センターケース２５の内部に形成されたループ通路（図示略）と、可動役物１２と、特別図柄表示部２８と、普通図柄ランプ表示部２９と、特別図柄表示部２８の特別図柄表示領域２８ａ〜２８ｃ内に配設された複数の特別図柄変動保留ランプ（図示略）と、複数（４つ）の普通図柄変動保留ランプ２７と、装飾カバー部材１５により被覆された複数（３つ）の普通入賞口２０ａ〜２０ｃと、第１始動口２１ａと第２始動口２１ｂとを備えた特別図柄始動口２１と、ゲート式の普通図柄始動口２２と、大入賞口２３と、入賞しなかった遊技球をアウト球として回収する球排出口２４等が設けられている。
【００１８】
遊技領域５ａに発射された遊技球は、風車１１や複数の障害釘１６に当たって方向を換えながら落下していき、複数の普通入賞口２０ａ〜２０ｃと、特別図柄始動口２１の第１、第２始動口２１ａ、２１ｂ、普通図柄始動口２２、大入賞口２３の何れかに入賞するか、最下端まで落下して球排出口２４から排出される。複数の普通入賞口２０ａ〜２０ｃ、特別図柄始動口２１、大入賞口２３の何れかに遊技球が入球した場合には、その入賞口２０ａ〜２０ｃ、２３に応じて予め定めた数の遊技球が上皿８又は下皿９に払い出される。
【００１９】
特別図柄始動口２１に入球した遊技球を検出した場合には、特別図柄表示部２８において、複数（３つ）の特別図柄表示領域２８ａ〜２８ｃに複数の特別図柄が７セグメント表示装置により変動表示され、その表示装置の変動停止時の表示結果が特定図柄態様（「４４４」、「７７７」等）になった場合、開閉扉４８により大入賞口２３が開閉されて、遊技者に有利な利益状態が発生する。ここで、特別図柄の変動中に特別図柄始動口２１に遊技球が入球した場合には、その入球数が最大４個まで保留球として記憶され、その保留球に相当する数の特別図柄変動保留ランプが点灯される。そして、その保留数に相当する回数の特別図柄の変動表示が連続的に行われる。
【００２０】
利益状態が発生すると、所定の入賞条件に基づいて、例えば、大入賞口２３は最大で１５ラウンド開閉動作を繰返し、大入賞口２３の各開放は、その大入賞口２３に遊技球が１０個入球するか、その開放時から３０秒経過するまで維持される。
【００２１】
また、普通図柄始動口２２に入球した遊技球を検出した場合には、普通図柄ランプ表示部２９の普通図柄当りランプ表示領域２９ａと普通図柄外れランプ表示領域２９ｂとの何れかにおいて、抽選手段による普通図柄の当り／外れの抽選結果がランプ表示され、当りランプ表示領域２９ａのランプが点灯表示された場合、第２始動口開閉部材２１ｃにより、特別図柄始動口２１が所定回数開閉される。
【００２２】
ここで、当り／外れランプ表示領域２９ａ、２９ｂの何れかのランプの点灯表示中に普通図柄始動口２２に遊技球が入球した場合には、その入球数が最大で４個まで保留数として記憶され、普通図柄ランプ表示部２９の表示領域２９ａ、２９ｂでの当り／外れのランプ表示の実行回数が普通図柄変動保留ランプ２７に点灯される。そして、その保留数に相当する回数の普通図柄の当り／外れの抽選が行われ、その抽選結果が連続的に普通図柄ランプ表示部２９の当り／外れランプ表示領域２９ａ、２９ｂにて点灯表示される。
【００２３】
次に、図２、図３に示すように、前枠４の裏側に裏機構板３０が着脱自在に装着され、その上部側に、外部から遊技球が供給される賞球タンク３１と、賞球タンク３１から延びるタンクレール３２が設けられている。タンクレール３２に通路ユニット３３が接続され、通路ユニット３３の上流側部分に、上皿８又は下皿９に遊技球を払出す払出しモータを有する払出し機構３４が設けられている。裏機構板３０の下側右部に、遊技球を発射する発射モーター３５ａを有する発射機構３５が設けられている。
【００２４】
前枠４の裏側には、パチンコ機１を制御する各種制御手段（主制御手段、払出し制御手段、演出制御手段、液晶制御手段、電源手段）が装備された基板として、主制御基板４０、払出制御基板４１、演出制御基板４２、液晶制御基板４３、電源基板４４が夫々所定位置に配設されている。これら制御基板４０〜４４は別体に構成されて電気的に接続され、少なくとも主制御基板４０と払出制御基板４１と演出制御基板４２と液晶制御基板４３には、ＣＰＵとＲＯＭとＲＡＭからなるマイクロコンピュータと入出力インターフェースが夫々設けられている。
【００２５】
次に、本願特有の装飾カバー部材１５について説明する。
図４、図５に示すように、装飾カバー部材１５は、装飾体１７と、３つの装飾カバー体１８とが一体成形された不透明の合成樹脂成形品であり、遊技盤５の盤面（遊技部材に相当する）の左側下部に着脱可能に装着されている。
装飾体１７は、正面視にて三日月状に形成された板状部材であり、その前面には意匠性を有する種々の装飾模様が施されている。
３つの装飾カバー体１８は、左側の装飾カバー体１８から階段状に設けられ、各装飾カバー体１８の下部の前側に装飾体１７が形成されている。
【００２６】
ここで、図６、図７に示すように、各普通入賞口２０ａ〜２０ｃの上側近傍には、普通入賞口２０ａ〜２０ｂへ遊技球を導く導入口２６が夫々形成されている。これら導入口２６は、普通入賞口２０ａ〜２０ｃの近傍に遊技球の直径より大きな距離を隔てて盤面に設けられた２本の導入口用障害釘１６ａにより形成される。
【００２７】
各装飾カバー体１８は、普通入賞口２０ａと、導入口２６との前側を覆う板状部材である。各装飾カバー体１８は、前後方向において、遊技盤５の前面から遊技球Ｐの通過を許容できる距離隔てた位置で且つ装飾カバー体１８の前面から突出した入賞口用障害釘１６ａの頭部の先端がガラス扉６に接触しない距離隔てた位置に設けられている。装飾カバー体１８で導入口２６の前側を覆うことにより、遊技球Ｐが導入口２６の前側から飛び出すことなく普通入賞口２０ａへ誘導される。
【００２８】
各装飾カバー体１８には、導入口用障害釘１６ａの移動を規制する為の規制部１８ａが２本の導入口用障害釘１６ａに対応する位置に夫々形成されている。この規制部１８ａは、導入口用障害釘１６ａの頭部が挿通可能な円形の貫通孔１８ｂからなり、貫通孔１８ｂは、導入口用障害釘１６ａの頭部側先端部分の遊技盤５の盤面と平行方向への所定量以上の移動を内周壁面で規制できるよう導入口用障害釘１６ａの頭部直径の約２倍の大きさで形成されている。
【００２９】
図６、図７に示すように、この装飾カバー部材１５の後方近傍には、普通入賞口部材２０が設けられている。普通入賞口部材２０は、複数の普通入賞口２０ａ〜２０ｃと、各普通入賞口２０ａ〜２０ｃの下部の開口部後方近傍に連通する連通口を有する連通部２０ｄとが一体形成された合成樹脂成形品である。この普通入賞口部材２０は、連通部２０ｄが遊技盤５に形成された貫通孔５ｂを介して後方へ嵌め込まれた状態で装着され、複数の普通入賞口２０ａ〜２０ｂの後面の上部が遊技盤５の盤面で係止されている。
【００３０】
次に、特別図柄始動口２１に設けられた装飾カバー体３６について説明する。
図８、図９に示すように、特別図柄始動口２１（遊技部材に相当する）には、第１始動口２１ａと、この第１始動口２１ａよりも下側に第２始動口２１ｂと、第２始動口２１ｂを大小変化させるように開閉する第２始動口開閉部材２１ｃと、装飾カバー体３６とが設けられている。
【００３１】
第１始動口２１ａの上側近傍には、センターケース２５の内部に形成されたワープ通路の出口から流下した遊技球Ｐを第１始動口２１ａへ導く導入口３７が形成されている。この導入口３７は、第１始動口２１ａの上側近傍に遊技球Ｐの直径より大きな距離を隔てて盤面に設けられた２本の導入口用障害釘１６ｂにより形成される。
【００３２】
装飾カバー体３６は、第１始動口２１ａと、導入口３７との前側を覆う不透明の合成樹脂成形材料で成形された板状部材である。この装飾カバー体３６は、第１始動口２１ａの前側近傍で且つ遊技盤５の盤面から遊技球Ｐの通過を許容できる距離隔てた位置に設けられている。装飾カバー体３６で導入口３７の前側を覆うことにより、遊技球Ｐが導入口３７の前側から飛び出すことなく第１始動口２１ａへ誘導される。  
【００３３】
装飾カバー体３６には、導入口用障害釘１６ｂの移動を規制する為の規制部３６ａが２本の導入口用障害釘１６ｂの移動を規制する為の規制部３６ａが２本の導入口用障害釘１６ｂに対応する位置に夫々形成されている。この規制部３６ａは、実施例１の規制部１８ａと同様の構造であり、導入口用障害釘１６ｂの頭部が挿通可能な円形の貫通孔３６ｂからなる。この貫通孔３６ｂは、導入口用障害釘１６ｂの頭部側先端部分の遊技盤５の盤面と平行方向への所定量以上の移動を内周壁面で規制できるよう導入口用障害釘１６ｂの頭部直径の約２倍の大きさで形成されている。
【００３４】
次に、実施例の装飾カバー体１８の作用効果について説明する。
遊技店の営業中において、釘曲げゴト師により、普通入賞口２０ａ近傍の２本の導入口用障害釘１６ａのうち一方の導入口用障害釘１６ａを外側へ大きく曲げてそれらの釘間隔を極端に広げることにより、導入口２６から普通入賞口２０ａへ遊技球Ｐを入り易くする不正な釘曲げ行為が行われる場合がある。
【００３５】
このとき、導入口用障害釘１６ａの頭部側部分が貫通孔１８ｂからなる規制部１８ａに挿入されているので、導入口用障害釘１６ａを遊技盤５の盤面と平行方向へ所定量以上移動させようとしても、導入口用障害釘の頭部側先端部分の移動が貫通孔１８ｂの内周壁により規制される。
【００３６】
このように、装飾カバー体１８に貫通孔１８ｂからなる規制部１８ａを設け、この貫通孔１８ｂに導入口用障害釘１６ａの頭部側先端部分が挿入されているので、導入口用障害釘１６ａを遊技盤５の盤面と平行方向へ所定量以上移動させることができない。これにより、導入口用障害釘１６ａを外側へ大きく曲げることができないため、遊技中における釘曲げゴト師による不正な釘曲げ行為を確実に防止することができる。
【００３７】
また、装飾カバー体１８を遊技盤５の盤面に着脱可能に装着してあるので、盤面から装飾カバー体１８を取り外した状態で、複数の導入口用障害釘１６ａの釘間隔や打ち込み角度などの調整を容易に行うことができる。また、遊技盤５の盤面に装飾カバー体１８を装着した状態において、複数の導入口用障害釘１６ａの頭部間の間隔を微調整することができる。なお、特別図柄始動口２１に設けた装飾カバー体３６についても上記装飾カバー体１８と同様の作用効果を奏する。
【００３８】
ここで、実施例の装飾カバー体１８を部分的に変更した変更例について説明する。
１〕装飾カバー体１８に形成された貫通孔１８ｂからなる規制部１８ａを、導入口用障害釘１６ａの頭部が挿入された凹部１８ｄからなる規制部１８ｃとして形成してもよい。
【００３９】
図１０に示すように、凹部１８ｄは、前後方向の長さが、凹部１８ｄ内に導入口用障害釘１６ａの頭部を挿入できる長さを有し、遊技盤５と平行方向の長さが導入口用障害釘１６ａの頭部直径の約２倍程度の長さを有する。なお、この装飾カバー体１８Ａは、凹部１８ｄに挿入された導入口用障害釘１６ａの頭部が正面視にて視認できるように透明の合成樹脂材料で成形されている。
【００４０】
このように、装飾カバー体１８Ａに凹部１８ｄからなる規制部１８ｃを設け、この凹部１８ｄ内においてその底面に導入口用障害釘１６ａの頭部先端が当接した状態で挿入されているので、導入口用障害釘１６ａを遊技盤５の盤面と平行方向へ所定量以上移動させようとしても、導入口用障害釘１６ａの頭部の移動が凹部１８ｄの側壁面により規制される。これにより、導入口用障害釘１６ａを外側へ大きく曲げることができず、遊技中における釘曲げゴト師による不正な釘曲げ行為を確実に防止することができる。なお、特別図柄始動口２１に設けられた装飾カバー体３６についても、規制部３６a に上記と同様の凹部を設けた構造としてもよい。
【００４１】
２〕実施例においては、装飾カバー部材１５と普通入賞口部材２０とを別体に形成したが、これらを一体成形した合成樹脂成形品として構成してもよい。
【００４２】
３〕センターケース２５の内部に形成され特別図柄始動口２１へ遊技球Ｐを導くワープ通路の入口の装飾部（遊技部材）に装飾カバー体を設けてもよい。
この場合、ワープ通路入口の装飾部に遊技球の直径より大きな距離を隔てて盤面に設けられた複数の導入口用障害釘で形成された導入口の前側が装飾カバー体で被覆される。そのため、ワープ通路入口における不正な釘曲げ行為を確実に防止することができる。
【００４３】
４〕実施例の実施例の装飾カバー体１８、３６を、複数の普通入賞口２０ａ〜２０ｃの近傍や、特別図柄始動口２１に設けたが、その他、大入賞口２３近傍や、ゲート式の普通図柄始動口２２近傍等に設けてもよい。
【００４４】
５〕実施例の装飾カバー体１８は、遊技盤５の盤面の右側下部に複数の普通入賞口を設けたパチンコ機にも適用可能である。
【００４５】
６〕実施例においては、装飾カバー部材１５を、装飾体１７と３つの装飾カバー体１８とを一体成形した合成樹脂成形品で構成したが、装飾体１７と３つの装飾カバー体１８とを別体成形し、これら装飾カバー体１８が装飾体１７に対して開閉可能もしくは着脱可能な構成としてもよい。
【００４６】
７〕本発明は、実施例の実施形態に限定されるものではなく、当業者であれば、本発明の趣旨を逸脱しない範囲で、前記実施形態に種々の変更を付加し、更に、パチンコ機に限らず、アレンジボール機、雀球遊技機機等で実施可能で、本発明はそのような変更形態も包含するものである。
【図面の簡単な説明】
【００４７】
【図１】パチンコ機の断面図である。
【図２】パチンコ機の斜視図である。
【図３】パチンコ機の背面図である。
【図４】パチンコ機の遊技盤の正面図である。
【図５】装飾カバー部材の正面図である。
【図６】装飾カバー部材の斜視図である。
【図７】図６のＶＩＩ−ＶＩＩ線縦断面拡大図である。
【図８】特別図柄始動口の正面拡大図である。
【図９】特別図柄始動口の斜視図である。
【図１０】実施例の装飾カバー体の変更形態の縦断面拡大図である。
【符号の説明】
【００４８】
Ｐ      遊技球
１      パチンコ機
５      遊技盤
１６    障害釘
１６ａ、１６ｂ  導入口用障害釘
１８、３６  装飾カバー体
１８ａ、３６ａ    規制部
１８ｂ、３６ｂ  貫通孔
１８ｄ          凹部
２０ａ〜２０ｃ  普通入賞口
【図１】
2008188259.tif 000003
【図２】
2008188259.tif 000004
【図３】
2008188259.tif 000005
【図４】
2008188259.tif 000006
【図５】
2008188259.tif 000007
【図６】
2008188259.tif 000008
【図７】
2008188259.tif 000009
【図８】
2008188259.tif 000010
【図９】
2008188259.tif 000011
【図１０】
2008188259.tif 000012